(57)【要約】　【課題】　設計が構造上簡単で、特に、開業医が、片手だけで針とカニューレを始動位置に寄せることが出来る採集装置を得る。　【解決手段】　この装置は、特に、サンプルを採集するための針(４)とカニューレ(５)と、これらの針とカニューレとを始動させるためのバネ(１４、１５)に連結されたスライド(１１、１２)と、上記の針とカニューレとを始動するため上記のスライドをバネに抗して後方位置に寄せる制御ボタンと、トリガー機構とを備えている。上記のスライド(１１、１２)は相互に横断方向に偏位するリミット・ストッパ(１６、１７)を備えるのが好ましく、上記の制御ボタン(６)はラグ(１８)を備え、このラグ(１８)は、移動手段の作用のもとに横断方向に移動し、上記の偏位リミット・ストッパに順次作用して上記のスライドを次から次に後方位置に寄せるようになっている。【選択図】　　図４
2004121852.tif 000002
【特許請求の範囲】
【請求項１】
以下のものからなるタイプの、身体からサンプルを採集する装置であって、
　その遠位端に上記サンプルを受け取ることの出来る凹所が形成されている針(４)と、
　上記の針(４)を同軸上に取り囲むカニューレ(５)であって、上記の針(４)と相対的に摺動するカニューレ(５)と、
　上記の針(４)とカニューレ(５)の各々に連結されたスライド(１１、１２)と、
　上記のスライドに各々に連結されたバネ(１４、１５)と、
　内方座部(１０)を形成し、この座部(１０)の内側には上記のハウジングの長手方向の軸上に上記のスライド(１１、１２)が直列に配置されていて、これらのスライド(１１、１２)とは、上記の針(４)とカニューレ(５)とが休止位置であって、サンプルの採集始動準備態勢にある、ハウジングの前方位置と、上記の針(４)とカニューレ(５)とが始動されて採集準備態勢にある後方位置との間を摺動することができる細長い形の把持可能なハウジング(２)と、
　これらのスライド(１１、１２)を上記の各バネに抗して上記の後方位置に寄せる制御ボタン(６)と、
　上記のスライド(１１、１２)を後方位置に閉塞する手段と、
　上記の閉塞手段を解除するトリガー機構(８、９)であって、上記のバネ(１４、１５)の作用のもとに、上記のスライド(１１、１２)を前方に移動させ、上記の針(４)とカニューレ(５)とを発射させるものにおいて、
　上記のスライド(１１、１２)とが横断方向相互に偏位しているリミット・ストッパ(１６、１７)とを備え、上記の制御ボタン(６)がラグ(１８)を備え、このラグ(１８)が移動手段の作用のもとに横断方向に移動して、上記の偏位リミット・ストッパ(１６、１７)に順次作用し、上記のスライド(１１、１２)を次から次に後方位置によせるもの。
【請求項２】
請求項１に記載した採集装置において、上記の移動手段がバネ(２１)と傾斜板(２２)とを備え、このバネ(２１)は上記のボタン(６)と上記のラグ(１８)との間に横断方向に配置せられ、上記のラグ(１８)を、一方のスライド(１１)がそのリミット・ストッパ(１６)を介して後方位置に移動する後退位置から、他方のスライド(１２)がその偏位リミット・ストッパ(１７)を介して後方位置に移動する展開位置まで通過させ、上記の傾斜板(２２)はハウジングの内側に設けられていて、ボタンが最初の位置に戻ると上記のラグ(１８)を展開位置から後退位置まで戻すもの。
【請求項３】
請求項２に記載した採集装置において、上記の傾斜板(２２)が横端縁(２２Ａ)で終結して、上記のボタン(６)が最初の位置にあると、上記のラグ(１８)がその端縁(２２Ａ)にあたりバネ(２１)を圧縮し、またその端縁(２２Ａ)は先に移動するスライド(１１)のリミット・ストッパ(１６)と同じ高さに位置するもの。
【請求項４】
請求項１に記載した採集装置において、上記のラグ(１８)が摺動連結路(２０)により上記のボタン(６)に連結され、この連結路(２０)を介して、移動手段の作用のもとに横断方向に摺動できるもの。
【請求項５】
請求項１に記載した採集装置において、カニューレ(５)を持ったスライド(１２)とそのバネ(１５)とは上記のハウジング(２)の前に位置し、最初に、後方の始動位置に上記のラグ(１８)を介して寄せられ、針(４)を持ったスライド(１１)とそのバネ(１４)とは後方スライド(１２)と同軸上に位置し、２番目に上記の後方の始動位置に移動し、これらのスライド(１１、１２)とそれらのバネ(１４、１５)との移動は上記のハウジング(２)に固定されたブラケットにより制限されるもの。
【請求項６】
請求項１に記載した採集装置において、上記の制御ボタン(６)は、上記のハウジング(２)の楕円形開口部(７)を長手方向に摺動するようにとりつけられていて、長手方向に配置されているバネ(２３)が上記のハウジング(２)をボタン(６)に連結し、ボタン(６)を、それに対応する、上記の開口部の前縁に当たる最初の位置に自発的に戻すもの。
【請求項７】
請求項１に記載した採集装置において、上記の閉塞手段が、各スライドから出ている弾性的に変形するフック(１１Ｂ、１１Ｃ−１２Ｂ、１２Ｃ)を備えた１つ以上のブラケットと、これに対応する固定されたリミット・ストッパ(２Ｈ−２Ｊ)とからなり、このリミット・ストッパは上記のハウジング(２)の内側に設けられ、スライドが後方位置に到達すると対応するスライドのフック付きブラケットがこれと係合するもの。
【請求項８】
請求項１に記載した採集装置において、採集を起動するトリガー機構は、ハウジング上の前方タンブラ(８)と後方タンブラ(９)とからなり、これらのタンブラはお互いに独立して作動されて、上記の閉塞手段に作用するもの。
【請求項９】
請求項８に記載した採集装置において、前方および後方タンブラ(８、９)が、上記のハウジングの内側に位置する連結棒(２４)によって、相互に機械的に連結されているもの。
【請求項１０】
請求項８に記載した採集装置において、上記の後方タンブラ(９)が、戻しバネ(９Ｂ)を持つと共に、上記のハウジング(２)に突出して、針を持ったスライドの閉塞手段(１１Ｂ、１１Ｃ)を自由にするようになされたブラケット(９Ｃ)を備えた押しボタン(９Ａ)を含み、針を持ったスライド(１１)が、前方向に移動した後、カニューレを持ったスライド(１２)の閉塞手段(１２Ｂ、１２Ｃ、２Ｈ)に作用するよう突出するようになされた開放ブラケット(１１Ｄ)を備えているもの。
【請求項１１】
請求項８に記載した採集装置において、前方タンブラ(８)が、ハウジングの長手方向の軸に直交する心棒(２Ｋ)を中心に回動するレバー(８Ａ)を備え、上記の連結棒(24)が上記前方タンブラの上記レバー(８Ａ)を後方タンブラの押しボタン(９Ａ)に連結するもの。
【請求項１２】
請求項８に記載した採集装置が、上記のトリガー機構(８、９)を非作動にする安全手段を備え、この安全手段が切欠き(２Ｌ)からなり、この切欠き(２Ｌ)は上記のハウジングに形成され、上記の前方タンブラ(８)が横断方向に移動した後、これを受け入れるもの。
【請求項１３】
特許請求の範囲第１項の採集装置において、上記のハウジングが２つの半殻を長手方向面に沿って結合されてなるもの。
【発明の詳細な説明】
【技術分野】
【０００１】
　　本発明は、検査のため人間あるいは動物の身体から組織あるいは器官のサンプルを採る為の装置に関する。
【背景技術】
【０００２】
　一般には、生検の言葉で言及されているサンプルの採集は、なかでも、採集したサンプルの種々の検査に続いて病理的状態を診断するための手術を可能にし、傷をつけずに、体の奥にある肝臓や腎臓などの器官に到達できるので、増々頻繁に取られる医療措置となっている。
【０００３】
　よって、その需要に答えるため多くのサンプル採集装置が開発された。その目的は、開業医が簡単に使用できることと、確実な作用を保証することであった。
【０００４】
　身体からサンプルを採集する数多くの装置が既知であり、これらは一般に次のものから構成されている。　
　その遠位端がサンプルを受け取ることのできる凹所を形成する針と、
　上記の針とは相互に摺動可能に構成した上記の針を同心状に取り巻くカニューレと、
　上記の針とカニューレと各々に連結された複数のスライドと、
　上記のスライド各々に連結されたバネと、
　細長い形の把持可能なハウジングであって、内方の座部を形成し、その内側にはそのハウジングの長手方向の軸上に、上記のスライドが直列に配置されており、上記のスライドは、上記の針とカニューレとが、サンプルを採集するよう始動準備態勢にあるハウジングの前方位置に対応する休止位置と、上記の針とカニューレとが採集準備態勢にある、始動されて、後退位置にある後方位置との間を摺動でき、
　上記のスライドを各バネに抗して上記の後方位置に寄せる制御ボタンと、
　上記のスライドを上記の後方位置に閉塞する手段と、
　上記の閉塞を解除するためのトリガー機構であって、上記のバネの作用で、上記のスライドを前方に移動させて、上記の針とカニューレとを発射させるものからなる。
　そのような装置は、例えば、EP 特許No.0238461およびEP 特許 No.0435986に開示されている。
【特許文献１】ＥＰ特許第０２３８４６１
【特許文献２】ＥＰ特許第０４３５９８６
【発明の開示】
【発明が解決しようとする課題】
【０００５】
　これらの装置では、開業医は、針とカニューレとを備えたスライドを、バネに抗して同時に動かすのに両手を必要とするので、必ずしも採集するのは簡単ではない。
【０００６】
　本発明の目的は、設計が構造上簡単で、特に、開業医が、片手だけで針とカニューレを始動位置に寄せることが出来る採集装置を得ることである。
【課題を解決するための手段】
【０００７】
　　この目的で、本発明によるものは、上記のタイプの採集装置と次の点で異なっている。
　上記のスライドは、横断方向相互に偏位しているリミット・ストッパを備えると共に、上記の制御ボタンが、ラグを備え、このラグは、移動手段の作用で横断方向に移動でき、上記の偏位リミット・ストッパに順々に作用して、上記のスライドを次次と後方位置に寄せていく。
【発明の効果】
【０００８】
　よって、本発明によれば、単一の制御ボタンで、針とカニューレとを順次始動させるので、２回の別個の移動でなされる。即ち、開始位置からのボタンの第１回並進移動であって、例えば、カニューレを持ったスライドを始動位置に寄せるものと、上記のボタンが開始位置に戻った後の第２回並進移動であって、針を持ったスライドを始動位置によせるもの。
　この装置の使用は、開業医が片手の親指だけを用いて始動できるので、簡単である。
　例えば、上記の移動手段が、上記のボタンと上記のラグとの間で横断方向に配置されたバネとハウジングの内側に設けられた傾斜板からなる。このバネによりラグが、上記のスライドの一方がそのリミット・ストッパを介して前記の後方位置に移動する、後退位置から、他方のスライドがその偏位リミット・ストッパを介して前記の後方位置に移動する、展開位置まで通過する。上記の傾斜板は、上記のボタンが開始位置に戻ると上記のラグをその展開位置からその後退位置に戻す。
【０００９】
　上記の傾斜板は横方向の端縁部で終結するのが好ましい。ボタンが開始位置にあると上記のラグはこの縁部に当たってそのバネを圧縮し、またこの縁部は最初に移動するスライドのリミット・ストッパと同一高さに位置する。よって、ラグは後退位置に維持され、制御ボタンが移動するやいなや対応するスライドのリミット・ストッパと係合する。ラグは、例えば、摺動連結路で上記のボタンに連結されていて、移動手段の作用にもとに摺動連結路を介して横断方向に摺動する。
【００１０】
　特に、カニューレを持った上記のスライドとそのバネは上記のハウジングの前方に位置し、上記ラグを介して最初に後方の始動位置に寄せられ、針を持ったスライドとそのバネは上記のハウジングの後方で同軸上に位置し、２番目に後方の始動位置に移動する。上記のスライドとバネとの移動は、上記のハウジングに固定されたブラケットにより制限される。
【００１１】
　上記の制御ボタンは、上記のハウジングの楕円形の開口部を通って長手方向に摺動するように取り付けるのが好ましい。長手方向に配置されたバネは、上記のハウジングを上記のボタンに長手方向に連結し、自発的にボタンを上記開口部の対応する前縁部に当たるその開始位置に戻す。
【００１２】
　好ましい実施例では、上記の閉塞手段は、各スライドから出ている弾性的に変形可能なフックを備えた1つ以上のブラケットと、これに対応する上記のハウジングの内側に設けられている固定リミット・ストッパとからなる。上記のスライドが上記の後方位置に到達すると、上記の固定リミット・ストッパに、対応するスライドのフック付きブラケットが係合する。
【００１３】
　上記のサンプル採集を起動させる機構については、相互に独立して操作され、上記のハウジング上にある、上記の閉塞手段に作用する前方タンブラ(引き金)および後方タンブラからなるのが好ましい。開業医は、上記のタンブラのどちらか1方を使って採集装置を発射させることが出来る。上記の前方および後方タンブラは、上記のハウジングの内側に配置された連結棒によって相互に機械的に連結するのが好ましい。
【００１４】
　好ましい実施例では、上記の後方タンブラは戻しバネを持ち、ハウジング内に突出して、針を持ったスライドの閉塞手段を自由にするようになされたブラケットを備えた押しボタンからなる。針を持ったスライドは、更に、カニューレを持ったスライドが前方位置に移動した後、その閉塞手段に作用するよう突出するようになされたブラケットを備える。よって、針を持ったスライドが先に発射され、次いでカニューレを持ったスライドが発射されて、スライドが連続して前方位置に移動する間に身体のサンプルを収集することが出来る。
【００１５】
　上記の前方タンブラについては、ハウジングの長手方向に直交する軸を中心に回動するレバーを備えることが出来る。上記の連結棒が前方タンブラのこのレバーを上記の後方タンブラの押しボタンに連結させる。この装置は上記のトリガー機構を非作動にする安全手段を備えることが好ましい。例えば、上記の安全手段は、ハウジングに形成された切欠きからなり、上記の前方タンブラは、横断方向に移動した後、この切欠きに受け止められ、トリガー機構はよって、不動となる。
　更に、上記のハウジングは２つの半殻を長手方向面に沿って結合して形成するのが好ましい。
【発明を実施するための最良の形態】
【００１６】
　　添付図面の各図より、本発明がどのように実施されるかが容易に分かる。これらの図において、同一符号は同一要素を示す。
【００１７】
　　図１から図３に示されている、身体の組織のサンプルを採集する装置１は、外側の形がほぼ平行六面体で角が丸くなっている解剖学的構造であるハンドルに似た把持可能なハウジング２からなっていて、開業医が片手でその装置を快適且つ簡単に把持できる。
【００１８】
　ハウジングの前面２Ａから、凹所４Ａを持った針４と、傾斜した挿入尖端を除いて針を同軸状に取り囲む採集用カニューレ５が突出している。１方、制御ボタン６には、ハウジング２に形成された開口部７を介してハウジング２の頂面２Ｂから近づける。これらの図１から図３には、上記の針とカニューレを発射されるためのトリガー機構の前方タンブラ８と後方タンブラ９がハウジングの外側から近づけることと、これらが、各々、ハウジングの頂部でその前面２Ａ近くに、そしてその後面２Ｃに設けられていることが示されている。　
【００１９】
　図４により詳細に示されているように、把持可能なハウジング２は２つの半殻(2.1)と(2.2)ならびに内方座部１０からなり、これらの半殻は結合されて上記のハウジングの中央長手方向面Ｐ−Ｐを形成している。上記の内方座部の内側には、採集装置１の種々の構成要素が取り付けられている。これらの構成要素については以下図４、図５(A)、図６(A)および図７(A)を参照しながら記載する。
【００２０】
　ハウジング２の内方座部１０の内側には２つのスライド１１、１２が設けられており、これらのスライドは直列に配置されていて、各々、針４とカニューレ５とを長手方向の同軸上に支持している。例示されている実施例では、カニューレ５を持ったスライド１２はハウジング２の前部に位置し、針４を持ったスライド１１は後方、即ち、ハウジングの後方に向けて位置する。針４は、その遠位傾斜尖端４Ｂがカニューレ５から出るまでカニューレ５とこれと連携するスライド１２とを貫通する。バネ１４、１５は、また、スライドの長手方向軸Ｘ−Ｘ上に配されることにより、各々、スライドに連結される。よって、カニューレを持ったスライド１２は、スライドとハウジングの固定中間ブラケット２Ｅとの間に位置するバネ１５の作用でハウジングの前方ブラケット２Ｄに当接する。他方、針を持ったスライド１１は、スライドとハウジングの第３の固定後方ブラケット２Ｆとの間に位置するバネ１４の作用で固定ブラケット２Ｅに押圧される。これらのバネは圧縮タイプで同一のものである。これらのブラケットは、例えば、ハウジングの半殻(2.1)から、その長手方向面Ｐ−Ｐに対し横断方向に突出する。
【００２１】
　よって、これらのバネの作用で、上記のスライド１１、１２はハウジング２の前方位置を占める。この前方位置では、針４とカニューレ５とは、始動されていなくて休止している開始位置にあり、ハウジングの前面２Aからほぼ突出している。
　勿論、スライド１１、１２は移動において半殻2.1と2.2とから出ているガイド２Ｇと協働し、これらの各横溝１１Ａ、１２Ａにおいてガイド２Gと係合している。
【００２２】
　軸Ｘ−Ｘに平行に後方移動することにより、制御ボタン６はスライド１１、１２を各バネ１４，１５に抗して後方位置に寄せる。この後方位置では、針４とカニューレ５とは後退した始動位置にあり、図５(D)を関して後で分かるように、採集装置の発射準備態勢にある。スライドを後方位置に順次寄せるため、上記のスライドに、横断方向で相互に偏位する各リミット・ストッパ１６、１７を備え、移動手段の作用のもとに横断方向、即ち面P-Pに直交する方向に移動され、リミット・ストッパに順次作用するラグを制御ボタンに備えるることが好ましい。
【００２３】
　図４、図５(A)、図６(A)および図７(A)に示されているように、リミット・ストッパ１７はカニューレを持ったスライド１２の後端に上下方向に配され、例えば、Ｌ字型にまげられている。このストッパ１７に、制御ボタン６に連結された可動ラグ１８が係合する。同様に、他方のリミット・ストッパ１６が針を持ったスライド１１に上下方向に配され、スライド１２のリミット・ストッパ１７とほぼ同じ高さだが(図５(A)、図７(A))、これとは横断方向偏位して位置する(図６(A)、図７(A))。針を持ったスライドのリミット・ストッパ１６もまた、ラグ１８との係合を確実にするため曲げられている。ラグ１８はボタン６から上下方向下方に突出しスライドと丁度同じ高さに至り、ボタンの中に収容されていて、摺動連結路２０を介してボタン内を摺動するように取り付けられた台１９から出ている。
【００２４】
　ラグ１８の移動手段は、ボタンの側壁に対し横断方向に位置するバネ２１と、台１９に形成された凹所１９Ａと、ハウジングの内側に設けられ、それが出ている半殻(2.1)と一体である傾斜板２２とからなるのが好ましい。
　よって、圧縮タイプのバネ２１は確実にラグ１８を、スライド１２がそのリミット・ストッパ１７により後方位置に移動する後退位置から、スライド１２のリミット・ストッパ１７に対し横断方向偏位しているリミット・ストッパ１６を介して他方のスライド１１が後方に移動される展開位置まで通過させる。ボタン６が開始位置に戻ると、傾斜板２２はバネ２１を圧縮して上記のラグ１８を後退位置に戻す。
【００２５】
　特に、図６(A)および図７(A)から分かるように、傾斜板２２は軸Ｘ−Ｘに平行な端縁２２Ａで終結していて、ボタンの開始位置ではラグ１８がその縁部に当たっている。その縁部はＬ字型のリミット・ストッパ１７の対応側部１７Aに連続して位置するのが好ましい。　　　
【００２６】
　また、制御ボタン６は、これをハウジングの半殻(2.1)に連結させ、ハウジング楕円開口部の前縁７Ａに寄せる引きバネ２３によって開始位置に維持される。
【００２７】
　更に、この装置１は、また、スライド１１、１２が後方位置を占める時これらを不動にするための閉塞手段を備える。このため、各スライド１１、１２は、この実施例では、各々、フック１１Ｃ、１２Ｃで終結している弾性的に変形可能な長手方向のブラケット１１Ｂ、１２Ｂを備える。上記のフック１１Ｃ、１２Ｃはハウジングの半殻(2.1)から横断方向に突出する対応する固定リミット・ストッパ２Ｊ、２Ｈに引掛かることができる。
【００２８】
　トリガー機構については、前方タンブラ８および後方タンブル９は、開業医の好みで相互に独立して作動できると同時に、スライドの後方位置において閉塞手段１１Ｂ、１１Ｃ、２Ｊと１２Ｂ、１２Ｃおよび２Ｈに作用するため相互に機械的に連結されているのが好ましい。
【００２９】
　構造的には、前方タンブラ８は半殻の前部分に位置し、軸Ｘ−Ｘあるいはハウジング２の長手方向の面Ｐ−Ｐに対し直交して配されている心棒２Ｋを中心に回動するように取り付けられたレバー８Ａから出ている。後方タンブラ９は、長手方向に移動自在な押しボタン９Ａと、ハウジングの後面２Ｃとの間に設けられた戻しバネ９Ｂを備えたタイプのもので、ハウジングの内側に長手方向に突出するブラケット９Ｃとを備える。このブラケット９Ｃは閉塞手段１１Ｂ、１１Ｃと接当してこれらを解除し、後スライド１１を自由にする。後スライド１１は、また、ブラケット１１Ｂに対向する長手方向のブラケット１１Ｄを備え、後で分かるようにハウジングのスライド１２の閉塞手段１２Ｂ、１２Ｃに作用する。
【００３０】
　前方タンブラの回動レバー８Ａと後方タンブラの押しボタン９Ａは棒２４によって連結されており、この棒２４は、ハウジングの内側に伸びその両端でレバー８Ａと押しボタンのブラケット９Ｃに設けられた対応する孔８Ｂ、９Ｅに係合する。よって、タンブラのいずれか一方に対する作用により閉塞手段に作用するブラケット９Ｃを移動させる。
【００３１】
　また、図２および図３からわかるように、前方タンブラ８はハウジング１の長手方向面Ｐ−Ｐに対し僅かに横断方向に偏位している。この横断方向の偏位によりトリガー機構の安全手段が構成される。トリガー機構は開業医がそれを長手方向面Ｐ−Ｐに持ってきた場合にのみ作動する。このため、この安全手段は、切欠き２Ｌによって形成され、この切欠き２Ｌは、前方タンブラのレバー８Ａが通るようにハウジングの頂部に形成された開口部２Ｍに横断方向に続いている。このレバー８Ａは、開業医が切欠き２Ｌに出し入れできるように心棒２Ｋ上を横断方向に摺動できる。この前方タンブラ８(よって、トリガー機構)は、開業医が矢印Ｆ３の方向で長手方向面に向け横断方向に移動させた場合のみ作動する。
【００３２】
　制御ボタン６がバネ２３によりその後方位置から前方位置へ戻ると、図５(C)、図６(C)およ図７(C)に示されているように、ラグ１８は、スライド１２のリミット・ストッパ１７から抜け、バネ２１の作用で横断方向に移動して展開位置に至る。これにより台９が開放され、摺動連結路２０によって移動する。次いで、ラグ１８が傾斜板２２に触れると、その端縁２２Ａに到達するまでこれを辿り図５(C)、図６(C)および図７(C)に示されている後退位置を取り戻し、台９を元に戻してその連携するバネ２１を圧縮する。そして、ボタン６は、そのバネの作用のもとに、前縁７Ａに当たる当初の位置を占める。
【００３３】
　カニューレを始動した後、開業医は針４の始動を始める。こうするため、図５(D)、図６(D)および図７(D)に示されているように、もう一度親指を使って制御ボタン６を開口部の後縁７Ｂに当接するまで引き戻し、バネ２３を伸ばす。このボタンが長手方向後方に移動している間、カニューレを持ったスライド１２がその後方位置にあるので、ラグ１８は、傾斜板の端縁２２Ａを去り、バネ２１の横断方向の移動により傾斜板の傾斜縁を辿り、台９を摺動させる。バネが圧縮状態から伸長状態まで変化することにより生じた、装置の面(Ｐ)に直交する横断方向の偏位により、ラグ１８はその後、針を持ったスライド１１の屈曲リミット・ストッパ１６と係合し、これを後方位置に引きずる。この位置に到達すると、その弾性的に変形可能な長手方向のブラケット１１Ｂのフック１１Ｃがハウジングの対応するリミット・ストッパ２Ｊと係合し、スライド１１はその後方位置に固定され、バネ１４は圧縮されそしてその針４はカニューレに詰め込まれる。
【００３４】
　開業医がボタン６を離すと、ボタン６はバネ２３により、開口部７の前縁７Ａに当たる開始位置に弾性で寄せられ、ラグ１８はもう一度傾斜板２２の端縁２２Ａに当たり、バネは圧縮して、台１９を押し戻す。そして、装置１は、図５(E)、図６(E)および図７(E)に示されているように、採集準備態勢である始動位置にある。
【００３５】
　よって、装置１は、片手だけを用い、制御ボタンの２回の連続する後方移動を含む継続的方法で始動される。上記の後方移動の第１回目でカニューレ５を持ったスライド１２に作用し、第２回目で針４を持ったスライド１１に作用する。　
【００３６】
　次いで、開業医は図５(F)、図５(G)および図５(H)に示されているように、採集装置の始動を開始できる。
　採集は、前方タンブラ８を用い、そのレバー８Ａを図５(F)の矢印Ｆ１の方向に心棒２Ｋを中心に回動するか、後方タンブラ９を用い、押しボタン９Ａを矢印Ｆ２の方向、前に押すことによって、起動できる。然しながら、前もって、開業医は前方タンブラ８に図２および図３の矢印Ｆ３の方向に力を作用させて長手方向面Ｐ−Ｐに持ていく、そうするとレバー８Ａはその心棒２Ｋに沿って摺動し切欠き２Ｌから離れる。こうして、安全手段は解除され、トリガー機構が作動状態になる。
【００３７】
　図５(F)に見られるように、傾斜面９Ｄを備えた押しボタンの長手方向のブラケット９Ｃの端部は、弾性的に変形し、フック１１Ｃを対応する固定リミット・ストッパ２Ｊから離脱させるまでスライド１１の弾性ブラケット１１Ｂのフック１１Ｃに当たっている。
【００３８】
　図５(G)に示されているように、スライド１１は、圧縮ばね１４の作用のもとに、固定中間ブラケットあるいはリミット・ストッパ２Ｅに抗して、移動して針を突出させて患者の身体の組織(図示略)に浸入させる。図６(G)から分かるように、スライド１１のリミット・ストッパ１６はラグ１８近くの開始位置に戻っている。針を持ったスライド１１がリミット・ストッパ２Ｅに到達する直前に、このスライド１１の前長手方向のブラケット１１Ｄは、カニューレを持ったスライド１２の弾性的に変形可能なブラケット１２Ｂのフック１２Ｃに当たって、これに作用してそのリミット・ストッパ２Ｈから離脱させる。図５(H)に示されているように、この効果は、カニューレを持ったスライド１２が、開放する圧縮ばね１５の作用のもとに固定前リミット・ストッパ２Ｄのところまで前進し、カニューレ５を身体の組織に突出させ、そこで針を取り囲んで、針４の凹所４Ａにある組織のサンプルを収集する。図６(H)に見られるように、スライド１２のリミット・ストッパ１７は、傾斜板の端縁２２Ａおよびラグ１８の区域に戻っている。
【００３９】
　一方、タンブラ８、９は戻しバネ９Ｂの作用のもとに最初の位置をとりもどしている。そして開業医は装置１の針とカニューレとを患者から引き抜く。
【図面の簡単な説明】
【００４０】
【図１】本発明に係る採集装置の実施態様を示す外面図である。
【図２】本発明に係る採集装置の実施態様を示す平面図である。
【図３】本発明に係る採集装置の実施態様を示す側面図である。
【図４】上記の装置の分解斜視図で、異なる構成要素を示す。
【図５（Ａ）】上記装置の、針及びカニューレを持ったスライドの休止位置にある状態を示す長手方向の断面図である。
【図５（Ｂ）】上記装置の、カニューレを持ったスライドを始動するための制御ボタンの第１の移動状態を示す長手方向の断面図である。
【図５（Ｃ）】上記装置の、制御ボタンの開始位置への戻り状態を示す長手方向の断面図である。
【図５（Ｄ）】上記装置の、針を持ったスライドを始動するための制御ボタンの第２の移動状態を示す長手方向の断面図である。
【図５（Ｅ）】上記装置の、制御ボタンの開始位置への戻り状態を示す長手方向の断面図である。
【図５（Ｆ）】上記装置の、トリガー機構による発射と、針を持ったスライドを閉塞する手段への作用状態を示す長手方向の断面図である。
【図５（Ｇ）】上記装置の、針を持ったスライドの発射と、カニューレを持ったスライドを閉塞する手段への作用状態を示す長手方向の断面図である。
【図５（Ｈ）】上記装置の、カニューレを持ったスライドの発射状態を示す長手方向の断面図である。
【図６（Ａ）】図５(A)のI−I線に沿う断面図である。
【図６（Ｂ）】図５(B)のI−I線に沿う断面図である。
【図６（Ｃ）】図５(C)のI−I線に沿う断面図である。
【図６（Ｄ）】図５(D)のI−I線に沿う断面図である。
【図６（Ｅ）】図５(E)のI−I線に沿う断面図である。
【図６（Ｆ）】図５(F)のI−I線に沿う断面図である。
【図６（Ｇ）】図５(G)のI−I線に沿う断面図である。
【図６（Ｈ）】図５(H)のI−I線に沿う断面図である。
【図７（Ａ）】図５(A)の装置が占める位置におけるスライドのリミット・ストッパに作用している上記の制御ボタンの斜視図で長方形の枠で囲まれたものである。
【図７（Ｂ）】図５(B)の装置が占める位置におけるスライドのリミット・ストッパに作用している上記の制御ボタンの斜視図で長方形の枠で囲まれたものである。
【図７（Ｃ）】図５(C)の装置が占める位置におけるスライドのリミット・ストッパに作用している上記の制御ボタンの斜視図で長方形の枠で囲まれたものである。
【図７（Ｄ）】図５(D)の装置が占める位置におけるスライドのリミット・ストッパに作用している上記の制御ボタンの斜視図で長方形の枠で囲まれたものである。
【図７（Ｅ）】図５(E)の装置が占める位置におけるスライドのリミット・ストッパに作用している上記の制御ボタンの斜視図で長方形の枠で囲まれたものである。
【符号の説明】
【００４１】
　２…ハウジング、２Ｈ〜２Ｊ…リミット・ストッパ、２Ｈ…閉塞手段、２Ｋ…心棒、２Ｌ…安全装置(切欠き)、４…針、５…カニューレ、６…制御ボタン、７…楕円形開口部、８・９…トリガー機構(８…前方タンブラ、９…後方タンブラ)、８Ａ…レバー、９Ａ…押しボタン、９Ｂ…戻しバネ、９Ｃ…ブラケット、１０…内方座部、１１・１２…スライド、１１Ｂ・１１Ｃ・１２Ｂ・１２Ｃ…閉塞手段(フック)、１１Ｄ…開放ブラケット、１４・１５…バネ、１６・１７…リミット・ストッパ、１８…ラグ、２０…摺動連結路、２１…バネ、２２…傾斜板、２２Ａ…傾斜板の横端縁、２３…バネ、２４…連結棒。
【図１】
2004121852.tif 000003
【図２】
2004121852.tif 000004
【図３】
2004121852.tif 000005
【図４】
2004121852.tif 000006
【図５（Ａ）】
2004121852.tif 000007
【図５（Ｂ）】
2004121852.tif 000008
【図５（Ｃ）】
2004121852.tif 000009
【図５（Ｄ）】
2004121852.tif 000010
【図５（Ｅ）】
2004121852.tif 000011
【図５（Ｆ）】
2004121852.tif 000012
【図５（Ｇ）】
2004121852.tif 000013
【図５（Ｈ）】
2004121852.tif 000014
【図６（Ａ）】
2004121852.tif 000015
【図６（Ｂ）】
2004121852.tif 000016
【図６（Ｃ）】
2004121852.tif 000017
【図６（Ｄ）】
2004121852.tif 000018
【図６（Ｅ）】
2004121852.tif 000019
【図６（Ｆ）】
2004121852.tif 000020
【図６（Ｇ）】
2004121852.tif 000021
【図６（Ｈ）】
2004121852.tif 000022
【図７（Ａ）】
2004121852.tif 000023
【図７（Ｂ）】
2004121852.tif 000024
【図７（Ｃ）】
2004121852.tif 000025
【図７（Ｄ）】
2004121852.tif 000026
【図７（Ｅ）】
2004121852.tif 000027